(57)【要約】      （修正有）【課題】底面を開口すると共に、この開口から脱落しないためのボックスティッシュの保持部材を備え、さらにはボックスティッシュの高さに関係のないボックスティッシュ収納容器を提供する。【解決手段】ボックスティッシュを収容する直方体の容器であって、この容器の上面３にティッシュペーパ取出口４を開口すると共に底面２を開放し、この容器側面６内側に相対して２本のボックス保持帯７の一端１０をそれぞれ固着し、各ボックス保持帯７の遊離端には面ファスナ８を取付け、これら面ファスナ８を重ね合わせて接着することによりボックス保持帯７が容器底面２を横断するようにしてなる。さらに、ボックス保持帯７の一端１０を開放した底面２の口縁よりも上方にし、面ファスナ８の重ね代を変更可能にする。【選択図】図１
0003110128.tif 000002
【実用新案登録請求の範囲】
【請求項１】
ボックスティッシュを収容する直方体の容器であって、
この容器の上面にティッシュペーパ取出口を開口すると共に底面を開放し、
この容器側面内側に相対して２本のボックス保持帯の一端をそれぞれ固着し、
各ボックス保持帯の遊離端には面ファスナを取付け、
これら面ファスナを重ね合わせて接着することによりボックス保持帯が容器底面を横断するようにしてなるボックスティッシュ収納容器。
【請求項２】
前記の開放した底面の開口縁よりも上方の容器側面内側に相対して２本のボックス保持帯の一端をそれぞれ固着すると共に、
前記面ファスナの重ね代を変更可能に接着してなる請求項１記載のボックスティッシュ収納容器。
【請求項３】
前記容器の側面間を切断すると共に、側面間に側面重ね代を形成し、当該側面重ね代に面ファスナを取付けてなる請求項１又は２に記載のボックスティッシュ収納容器。
【考案の詳細な説明】
【技術分野】
【０００１】
本考案は、紙製のボックスに収納されたティッシュペーパ（以下ボックスティッシュという）を、ボックスごと収容するボックスティッシュ収納容器の改良に関する。
【背景技術】
【０００２】
従来のボックスティッシュは、そのまま室内や自動車内に置くと見栄えが悪いため、布、木、プラスチックなどの各種素材でできた容器に入れ、外からボックスが見えないように隠して使用することがある。
この種のボックスティッシュ収納容器には、ボックスティッシュの全面を覆う完全被覆式のものがある。
【考案の開示】
【考案が解決しようとする課題】
【０００３】
しかしボックスティッシュ収納容器の底面は使用時には見えないから、底面は開放したほうが、ボックスティッシュの出し入れに便利だし、部材の軽減にもなる。
その場合、底面を開口したままでは、ボックスティッシュ収納容器を持ち上げたときボックスティッシュが脱落してしまう。
一方で、近年ボックスティッシュのコンパクト化が進み、ボックスの高さはかっての標準品より低い（８３ｍｍから６５ｍｍ、さらに５０ｍｍのものも出現している）が、反対に、保湿や香りといった新たな加工を施してボックスの高さを高くした製品も流通している。
このようにボックスの高さは一様でなく、将来も様々な高さのボックスが市場に出回ることが予想される。
こうした事情から、ボックスティッシュ収納容器の寸法を、現在の標準品のように高さの低いものに合せたのでは、高さの高いものに使用できず、逆に高いものに合せたのでは、薄いタイプのボックスティッシュに対応できないという問題を生ずる。
【０００４】
本考案は上記問題点を解消するもので、ボックスティッシュが持ち上げても脱落しないように確実に収容するとともに、多様な高さのボックスにも対応可能なボックスティッシュ収納容器を提供することを目的とする。
【課題を解決するための手段】
【０００５】
上記課題を解決するために本考案は、ボックスティッシュを収容する直方体の容器であって、
この容器の上面にティッシュペーパ取出口を開口すると共に底面を開放し、
この容器側面内側に相対して２本のボックス保持帯の一端をそれぞれ固着し、
各ボックス保持帯の遊離端には面ファスナを取付け、
これら面ファスナを重ね合わせて接着することによりボックス保持帯が容器底面を横断するようにしてなる。
ボックス保持帯の面ファスナを重ね合わせない状態で収納容器内にボックスティッシュを収納し、この後面ファスナを重ね合わせてボックス保持帯を連結し、ボックスティッシュを保持する。
【０００６】
さらに、開放した底面の開口縁よりも上方の容器側面内側に相対して２本のボックス保持帯の一端をそれぞれ固着すると共に、
各ボックス保持帯の遊離端には面ファスナを取付け、これら面ファスナの重ね代を変更可能に接着して２本のボックス保持帯を連結する。
これにより、ボックスティッシュをその高さに応じ収容容器を底面の開口縁に臨む位置と、底面の開口縁より高いそれ以外の所定位置で固定できる。
よって、ボックスティッシュの上面と収納容器の上面との間に僅かな空間しか生ぜず、この空間にティッシュペーパが脱落することがない。
【考案の効果】
【０００７】
本考案によれば、底面が開口しているので、材料を軽減できる。また、ボックス保持帯によりボックスティッシュが保持され、底面から脱落することがない。
さらに、2本のボックス保持帯の重ね代を調節することにより、高さの違う多様なボックスティッシュを収容できる。よって、ボックスティッシュの上面と収納容器の上面との間に僅かな空間しか生ぜず、この空間にティッシュペーパが脱落せずに円滑に取出せる。
また、ティッシュペーパが残り少なくなりボックスに落ち、取出し口から出ていないような場合でも、容易に手を挿入して取出せる。
【考案を実施するための最良の形態】
【０００８】
以下図面を参照して本考案実施形態を説明する。
【０００９】
図１は本考案実施形態になるボックスティッシュ収納容器を底面側から見た斜視図であり、図２はボックスティッシュ収納容器の使用法を示す図である。図2の（ａ）はボックスティッシュを入れていない状態を、（ｂ）は高さの高いタイプのボックスティッシュ（例えば、高さ８３ｍｍのもの）を収容した状態を、（ｃ）は高さの低いタイプのボックスティッシュ（例えば、高さ５０ｍｍのもの）を収容した状態を、それぞれ示す。
ボックスティッシュ収納容器１は、直方体の容器であり、布、皮革，木、プラスチックなどで製造する。また、底面２を開口すると共に、上面３に楕円形状のティッシュペーパ取出口４を設ける。また、上面３に、これを覆う蓋５を連設する。
さらに、対向する容器側面６の内側に、それぞれ布製のボックス保持帯７，７を、ボックス保持帯７，７の一端に設けた固着部１０で固着する。また、このボックス保持帯７，７の遊離端に面ファスナ８，８をそれぞれ取付ける。
面ファスナ８，８の取付けをボックス保持帯７の長手方向に長くして、重ね代を変更可能（例えば、重ね代を遊離端の先端部の他、当該先端部より約２ｃｍ固着部側までの任意の位置に変更可能）にする。
ボックスティッシュ収納容器１の寸法は、縦約１２ｃｍ、横約２５ｃｍ、高さ約９ｃｍが最適である。
【００１０】
ボックスティッシュ９を容器底面より収納後、面ファスナ８，８を重ね合わせて接着して、ボックス保持帯７，７が容器底面２を横断するようにしてボックスティッシュ９を保持する。
高いタイプのボックスティッシュ９を収容する場合は、図２（ｂ）に示すように、ボックス保持帯７を、底面２ぎりぎりまで伸ばす（重ね代を少なくする）。また、低いタイプのボックスティッシュ９を収容する場合は、図２（ｃ）に示すように、ボックス保持帯７の重ね代を長くし、ボックスティッシュ９を宙吊り状態で収容する。
いずれの場合も、ボックス保持帯７，７がボックスティッシュ９を保持し、ボックスティッシュ収納容器１を持ち上げても、ボックスティッシュ９は脱落しない。
また、ボックスティッシュ９がボックスティッシュ収納容器１の上面３の裏側に当たる。
【００１１】
次に、別の実施形態を説明する。
図３は、ボックスティッシュ収納容器を底面から見た斜視図である。
前記実施形態との違いは、ボックス保持帯７，７の固着部１０を底面近傍に固着する点である。
ボックス保持帯７を短くできるという利点があるが、ボックスティッシュ収納容器１の内側を前記実施形態と同様に縦約１２ｃｍ、横約２５ｃｍ、高さ約９ｃｍにすると、薄いタイプのボックスティッシュ９を収容した場合に、ボックスティッシュ９の上面と収納容器１の上面３との間に３〜４ｃｍの空間が生じ、この空間にティッシュペーパが脱落するなどして、ティッシュペーパの取出しに不都合が生じる。
よって、ボックスティッシュ収納容器１の内側の高さを約５ｃｍにしたものが別に必要になる。
このように、この実施形態では、収容するボックスティッシュ９の高さに応じたボックスティッシュ収納容器１を用意する必要がある。
【００１２】
次に、さらに別の実施形態を説明する。
図４は、ボックスティッシュ収納容器を底面から見た斜視図、図５はボックスティッシュ収納容器を側面間を離脱し、広げた状態の平面図である。
前記各実施形態との違いは、容器の側面６間を切断し、側面を折畳み自在にすると共に、相対する一対の側面６ａの両端部をコ字状に折曲して側面重ね代１１とし、この重ね代１１と他の相対する側面６bの両端部に面ファスナを取付ける点である。
ボックスティッシュ収納容器の側面６ａ，６ｂを順次内側に折畳んで平坦にでき、嵩張らず搬送などに便利である。また、面ファスナを重ね合わせ接着することにより簡単に組立てることができる。
【００１３】
なお、前記各実施形態では、蓋５を設けているが本考案はこれに限るものではなく、蓋５を設けないものも含む。
蓋５を設ければ、ボックスティッシュ９より飛び出しているティッシュペーパが外気に曝されず、衛生的であるばかりか、ティッシュペーパが人目につかず見栄えがよい。
【図面の簡単な説明】
【００１４】
【図１】本考案実施形態になるボックスティッシュ収納容器の斜視図である。
【図２】本考案実施形態になるボックスティッシュ収納容器の展開図である。
【図３】他の実施形態になるボックスティッシュ収納容器の斜視図である。
【図４】さらに、他の実施形態になるボックスティッシュ収納容器の斜視図である。
【図５】図４のボックスティッシュ収納容器を展開した状態の図である。
【符号の説明】
【００１５】
１    ボックスティッシュ収納容器
２    底面
３    上面
４    ティッシュペーパ取出口
５    蓋
６    容器側面
７    ボックス保持帯
８    面ファスナ
【図１】
0003110128.tif 000003
【図２】
0003110128.tif 000004
【図３】
0003110128.tif 000005
【図４】
0003110128.tif 000006
【図５】
0003110128.tif 000007